(57)【要約】      （修正有）【課題】首回り付近の肌露出部分をほぼ完全に被覆できるとともに、ファッション面でも良好な日焼け防止用ネックカバーを提供する。【解決手段】横長の布地製で、身体の首回り部分を被覆する首回り被覆部２と身体の首下付近を被覆する首下被覆部３とを設けたカバー生地１を有していることにより、首回り付近の肌露出部分のほぼ全面を被覆できる。又、カバー生地１の左右両端寄り位置に、カバー生地１を首に巻いた装着状態でカバー生地１の左右両端寄り位置を止着する１組の止着具４，４を取付けていることにより、装着状態で身体にフィット（安定）させることができる。【選択図】図１
0003117761.tif 000002
【実用新案登録請求の範囲】
【請求項１】
横長の布地製で、身体の首回り部分を被覆する首回り被覆部（２）と身体の首下付近を被覆する首下被覆部（３）とを設けたカバー生地（１）を有しているとともに、該カバー生地（１）の左右両端寄り位置に、カバー生地（１）を首に巻いた装着状態でカバー生地（１）の左右両端寄り位置を止着する１組の止着具（４，４）を取付けていることを特徴とする日焼け防止用ネックカバー。
【請求項２】
請求項１において、首回り被覆部（２）に汗吸収用の吸汗布片（７）を取付けていることを特徴とする日焼け防止用ネックカバー。
【考案の詳細な説明】
【技術分野】
【０００１】
本願考案は、身体の首回り付近の肌露出部分を被覆して日焼けを防止するための日焼け防止用ネックカバーに関するものである。
【背景技術】
【０００２】
衣服や帽子を着用していても首回り付近の肌は露出しており、日中の外出時や自動車の運転時等に、首回り付近の肌露出部分が日光（特に紫外線）に照射されて日焼けを起こし易い。特に、夏期においては上着を着用していても首回りや首下付近（首回り付近）が大きく露出する傾向にある。
【０００３】
ところで、女性の場合は美容のために日焼けを嫌う人が多く、日中の外出時には日傘を使用することが多々あるが、日傘を使用する場合は片手が拘束されてしまう。
【０００４】
又、首回り付近の日焼け防止対策として、鍔の大きい帽子を着用することがあるが、帽子が嫌いな人には不向きであり、且つファッション面も悪いという難点があるほか、鍔の大きい帽子でも首回り付近の肌露出部分を十分にカバーすることができない。
【０００５】
又、薄手生地のショール（二等辺三角形の布片）を首回り付近の日焼け防止用に使用することが考えられるが、このショールを首回り付近の日焼け防止に使用する場合は、背中上部から両肩を越えて胸の前面を被覆し、ショール両端寄り部分を安全ピンで結着することで装着される。
【考案の開示】
【考案が解決しようとする課題】
【０００６】
ところが、このショールの場合は、首回り部分（特に首後面部）を被覆し難く、且つ身体へのフィット性が悪い。又、ショールの場合は、ショール両端寄り部分を結着するのに別部材からなる安全ピンを用意する必要があるとともに、安全ピンがファッション性を損ねるという難点がある。
【０００７】
そこで、本願考案は、首回り付近の肌露出部分をほぼ完全に被覆できるとともに、ファッション面でも良好な日焼け防止用ネックカバーを提供することを目的としている。
【課題を解決するための手段】
【０００８】
本願考案は、上記課題を解決するための手段として、次の構成を有している。尚、本願考案は、首回り付近の肌露出部分を日焼けから保護するための日焼け防止用ネックカバーを対象にしている。
【０００９】
そして、本願考案の日焼け防止用ネックカバーは、横長の布地製で、身体の首回りを被覆する首回り被覆部と身体の首下付近を被覆する首下被覆部とを設けたカバー生地を有している。尚、本願でいう首下付近とは、首付根部分から外周方向に７〜１０cm程度の面積範囲である。
【００１０】
このカバー生地としては、吸水性のある薄手の布生地が使用される。又、このカバー生地は、着用時に首回りの肌露出部分に接触するので、肌触りが良く且つ低刺激性の生地が好ましい。
【００１１】
首回り被覆部は、このネックカバーを装着したときに身体の首回りを被覆するものであり、特に首後面部をほぼ全面に亘って被覆し得る。
【００１２】
首下被覆部は、このネックカバーを装着したときに身体の首下付近を被覆するものであり、首付根の外周を例えば７〜１０cm程度の範囲で被覆し得る。
【００１３】
又、このカバー生地の左右両端寄り位置には、カバー生地を首に巻いた装着状態でカバー生地の左右両端寄り位置を止着する１組の止着具を取付けている。この１組の止着具は、カバー生地を首回りに巻付けた状態で、首の前面部で止着し得るようになっている。尚、この止着具としては、ホック、ボタン、面ファスナー等が使用できる。
【００１４】
又、本願考案では、首回り被覆部に汗吸収用の吸汗布片を取付けることができる。この吸汗布片には、綿生地のような吸水性が良好であり且つやや厚手の帯状布を使用するとよい。又、この吸汗布片には、抗菌・防臭処理を施したものが好ましい。尚、この吸汗布片は、首回り被覆部の上縁部に沿って配置し、その外面を裏生地で被覆してサンドイッチ状に取付けるとよい。
【００１５】
ところで、夏期においては、上着を着用していても首回りや首下付近（総称して首回り付近ということがある）の肌が比較的大きく露出する傾向があり、日中の外出時には首回り付近の肌露出部分が日焼けし易い。
【００１６】
そこで、本願の日焼け防止用ネックカバーは、次のようにして使用される。即ち、このネックカバーは、カバー生地を背中側から首回りを被覆するように巻付けた後、カバー生地の両端部寄り位置に設けている１組の止着具を首の前面部で止着することで装着できる。このネックカバーの装着状態では、首回り被覆部で身体の首回りをほぼ完全に被覆しているとともに、首下被覆部で身体の首下付近の肌露出部分をほぼ完全に被覆している。尚、両止着具を離脱させると、このネックカバーを簡単に身体から取外すことができる。
【００１７】
又、首回り被覆部に吸汗布片を設けたものでは、首回りに発生する（又は首回りまで流れ落ちた）汗を吸汗布片で吸収できる。
【考案の効果】
【００１８】
本願考案の日焼け防止用ネックカバーは、次のような効果がある。
【００１９】
まず、カバー生地に首回り被覆部と首下被覆部とを有しており、装着状態では、身体の首回り付近（首回りと首下付近）をほぼ完全に被覆できるので、直射日光の当たる場所でも該首回り付近が日焼けすることがない。
【００２０】
又、このネックカバーの装着・取外しは、１組の止着具の結着・離脱操作で行えるので、その装着・取外し作業が簡単であるとともに、止着具による結着状態では、ネックカバーが身体（首回り）に良好にフィットする（安定する）ようになる。
【００２１】
さらに、このネックカバーは、装着状態での見映えが良好であり、ファッションの一部としての機能も有している。
【００２２】
又、首回り被覆部に吸汗布片を設けたものでは、首回りに発生する（又は首回りまで流れ落ちた）汗を吸汗布片で吸収できるので、上着の首回り部分が汗で濡れにくくなる、という効果がある。
【実施例】
【００２３】
図１〜図５を参照して本願実施例の日焼け防止用ネックカバーを説明すると、この実施例の日焼け防止用ネックカバーＹは、図１〜図３に示すように、横長の布地製で、上部側に身体の首回りを被覆する首回り被覆部２と下部側に身体の首下付近を被覆する首下被覆部３とを設けたカバー生地１を有している。尚、図１の実線図示状態は、ネックカバーＹを展張状態で内面側から見たものである。
【００２４】
カバー生地１は、図１及び図３において左右長さが５０〜６０cm程度で上下長さが１５〜１７cm程度の大きさを有しているとともに、左右両端部をそれぞれ先細状に形成している。このカバー生地１には、吸水性のある薄手の布生地が使用されている。
【００２５】
首回り被覆部２には、汗吸収用の吸汗布片７が取付けられている。この吸汗布片７には、綿生地のような吸水性が良好であり且つやや厚手の帯状布（幅が２〜３cm程度で、長さが３０〜３５cm程度）が使用されている。又、この吸汗布片７には、抗菌・防臭処理を施したものが好ましい。
【００２６】
そして、この吸汗布片７は、首回り被覆部２の上縁部に沿って配置し、その表面を吸水性のある裏生地６で被覆してサンドイッチ状に取付けている。この実施例では、図３に示すように予め吸汗布片７を裏生地６にミシン縫い（図２、図３のミシン目８）し、吸汗布片７が内側になる状態で裏生地６の外周部をカバー生地１の首回り被覆部２にミシン縫い（図１、図２のミシン目９）して一体化させている。尚、吸汗布片７を裏生地６にミシン縫い（ミシン目８）すると、このネックカバーの使用時に裏生地６が内面側になるので、吸汗布片縫着用のミシン目８が外部から見えなくなって見映えが悪くならない。
【００２７】
又、裏生地６は、実用新案登録請求の範囲中のカバー生地１に含まれるものであり、着用時に裏生地６が首回りの肌露出部分に接触する。従って、この裏生地６には、肌触りが良く且つ低刺激性の生地（例えば綿生地）を使用することが好ましい。
【００２８】
カバー生地１（裏生地６を含む）の左右両端寄り位置には、カバー生地１を首に巻いた装着状態（図４及び図５）でカバー生地１の左右両端寄り位置を止着する１組の止着具４，４を取付けている。この１組の止着具４，４は、この実施例ではホックが採用されている。
【００２９】
そして、この実施例のネックカバーＹは、カバー生地１の左右両側をそれぞれ前面側に折返して両止着具（ホック）４，４を結着させることによって、図１に鎖線図示するような装着形態にすることができる。尚、図１、図４において符号５は、装着形態において外側となる止着具（ホック）４の縫い目を隠すための飾りボタンである。
【００３０】
ところで、夏期においては、上着を着用していても首回りや首下付近の肌が比較的大きく露出する傾向があり、日中の外出時には首回り付近（首回り及び首下付近）の肌露出部分が日焼けし易い。
【００３１】
そこで、この実施例の日焼け防止用ネックカバーＹは、次のようにして使用される。即ち、このネックカバーＹは、背中側から首回りを被覆するように巻付けた後、カバー生地１の両端部寄り位置に設けている１組の止着具４，４を首の前面部で止着することで、図４及び図５に示すように首回り付近を被覆した状態で装着できる。このネックカバーＹの装着状態では、首回り被覆部２で身体の首回り（特に図５に示すように首後面部）をほぼ完全に被覆しているとともに、首下被覆部３で身体の首下付近を広範囲に被覆している。従って、このネックカバーＹを装着していると、上着から露出している首回り付近の肌露出部分に直射日光が当たらなくなり、効果的な日焼け防止ができる。
【００３２】
又、ネックカバーＹの装着状態では、首回りに巻付けた状態で止着具４，４で止められているので、ネックカバーＹが身体（首回り）に良好にフィットするようになり、ネックカバーＹが首回りから位置ずれしない。尚、このネックカバーＹは、１組の止着具４，４を離脱させると簡単に身体から取外すことができる。
【００３３】
又、このネックカバーＹは、装着状態での見映えが良好であり、ファッションの一部としての機能も有している。
【００３４】
又、この実施例のように、首回り被覆部２に吸汗布片７を取付けると、首回りに発生する汗を吸汗布片７で吸収でき、首回り付近を流れ落ちる汗で上着の首回り部分（図４、図５の符号１０部分）が濡れにくくなる。
【図面の簡単な説明】
【００３５】
【図１】本願実施例の日焼け防止用ネックカバーの内面側から見た平面図である。
【図２】図１のII−II拡大断面図である。
【図３】図１のネックカバーの分解図である。
【図４】図１のネックカバーの装着状態を前面側から見た図である。
【図５】図１のネックカバーの装着状態を背面側から見た図である。
【符号の説明】
【００３６】
１はカバー生地、２は首回り被覆部、３は首下被覆部、４は止着具（ホック）、６は裏生地、７は吸汗布片、Ｙはネックカバーである。
【図１】
0003117761.tif 000003
【図２】
0003117761.tif 000004
【図３】
0003117761.tif 000005
【図４】
0003117761.tif 000006
【図５】
0003117761.tif 000007